(57)【要約】  本発明は、-いずれも中央ユニット（２）に設置される、一次呼吸用ガスを受容する第一の吸気口(5)及びその一次呼吸用ガスを調整する第一の調整手段と;-二次呼吸用ガスを受容する第二の吸気口(6)及びその二次呼吸用ガスを調整する第二の調整手段(7)と;-一次及び二次呼吸用ガスを制御されたそれぞれの比率で混合して制御されたガス混合体にするように、第一及び第二の調整手段を制御する制御手段と;-制御されたガス混合体を患者に供給する供給手段(4)とを備え、第二の吸気口(5)及び第二の調整手段(7)はいずれも、中央ユニット(2)に対して取り外し可能に接続される二次ユニット(8)内に配置されることを特徴とする患者のための呼吸補助装置(1)に関する。
2008543473.tif 000002
【特許請求の範囲】
【請求項１】
−いずれも呼吸補助装置の中央ユニット（２）内に設置される、一次呼吸用ガスを受け入れるための第一の吸気口（５）および当該一次呼吸用ガスを調整するための第一の調整手段と；
−二次呼吸用ガスを受け入れるための第二の吸気口（６）および当該二次呼吸用ガスを調整するための第二の調整手段（７）と；
−前記一次および二次呼吸用ガスを制御されたそれぞれの比率で混合して制御されたガス混合体にするための、前記第一および第二の調整手段を制御するための制御手段と；
−前記中央ユニット（２）と患者との間に配置され、前記制御されたガス混合体を前記患者に供給するための供給手段（４）とを備え、
前記第二の吸気口（５）および第二の調整手段（７）はいずれも呼吸補助装置の二次ユニット（８）内に配置され、当該二次ユニット（８）は前記中央ユニット（２）に対して取り外し可能に接続されること
を特徴とする患者のための呼吸補助装置。
【請求項２】
前記二次ユニット（８）が、雄型および雌型の連結器を介して前記中央ユニット（２）に対して取り外し可能に接続されることを特徴とする、請求項１記載の呼吸補助装置。
【請求項３】
前記二次ユニット（８）が、二次呼吸用ガスのための接続ダクト（９）によって前記中央ユニット（２）に対して取り外し可能に接続されることを特徴とする、請求項１記載の呼吸補助装置。
【請求項４】
前記第二の吸気口（６）が、外部加圧ガス源に接続されるように構成された接続手段（１４）を備えることを特徴とする、請求項１から３のいずれかに記載の呼吸補助装置。
【請求項５】
前記第二の調整手段（７）が減圧手段（１５）を備えることを特徴とする、請求項１から４のいずれかに記載の呼吸補助装置。
【請求項６】
前記第二の調整手段（７）が比例手段（１６）を備えることを特徴とする、請求項１から５のいずれかに記載の呼吸補助装置。
【請求項７】
前記比例手段（１６）が、電気的に作動される比例弁であることを特徴とする、請求項６記載の呼吸補助装置。
【請求項８】
前記制御手段が中央ユニット（２）内に設置されることを特徴とする、請求項１から７のいずれかに記載の呼吸補助装置。
【請求項９】
前記第二の調整手段（７）が前記制御手段によって制御されることを特徴とする、請求項１から８のいずれかに記載の呼吸補助装置。
【請求項１０】
前記二次ユニット（８）が、前記第二の制御手段（７）と前記中央ユニット（２）の制御手段との間のデータ伝送を可能とするデータリンク（１２）を備えることを特徴とする、請求項９に記載の呼吸補助装置。
【請求項１１】
前記二次ユニット（８）が、前記中央ユニット（２）から前記第二の調整手段（７）に電力を伝送するための電源リンク（１３）を備えることを特徴とする請求項１０に記載の呼吸補助装置。
【請求項１２】
前記二次ユニット（８）が、前記調整手段（７）と前記データおよび電源リンク（１２；１３）との間に配置され、前記第二の調整手段（７）を制御するためのデータ処理を行うように構成された制御用電子基板（１７）を備えることを特徴とする、請求項１１に記載の呼吸補助装置。
【請求項１３】
前記二次ユニット（８）が、いずれも前記制御用電子基板（１７）に接続された少なくともガス流センサ（１８）および圧力センサ（１９）を備えることを特徴とする、請求項１２に記載の呼吸補助装置。
【請求項１４】
前記二次ユニット（８）と前記中央ユニット（２）との間の前記接続ダクト（９）の直径が４〜８ｍｍであることを特徴とする、請求項３から１３のいずれかに記載の呼吸補助装置。
【請求項１５】
前記二次ユニット（８）が、前記接続ダクト（９）を格納するための中央溝（２０）を備えることを特徴とする、請求項３から１４のいずれかに記載の呼吸補助装置。
【請求項１６】
前記二次ユニット（８）が空中ゴマ形状を有することを特徴とする、請求項１５に記載の呼吸補助装置。
【請求項１７】
少なくとも二つの呼吸用ガスの混合体を患者に供給することが可能であるとともに中央ユニットを備える呼吸補助装置（１）のための二次ユニットであって、
前記二次ユニットは、前記中央ユニット（２）に対して取り外し可能に接続され、外部加圧ガス源から来る呼吸用ガスの調整された流れを前記中央ユニット（２）に供給するように構成されている
ことを特徴とする二次ユニット。
【請求項１８】
雄型および雌型の連結器を介して前記中央ユニット（２）に対して取り外し可能に接続されることを特徴とする、請求項１７記載の二次ユニット。
【請求項１９】
二次呼吸用ガスのための接続ダクト（９）によって前記中央ユニット（２）に対して取り外し可能に接続されることを特徴とする、請求項１７記載の二次ユニット。
【請求項２０】
外部加圧ガス源に接続されるように構成された接続手段（１４）を有する単独の吸気口（６）を備えることを特徴とする、請求項１７から１９のいずれかに記載の二次ユニット。
【請求項２１】
前記中央ユニット（２）から二次ユニット（８）に電力を伝送するための電源リンク（１３）を備えることを特徴とする請求項１７から２０のいずれかに記載の二次ユニット。
【請求項２２】
外部加圧ガス源に接続されるように構成された接続手段（１４）を有する単独の吸気口（６）を備えることを特徴とする、請求項１７から２１のいずれかに記載の二次ユニット。
【請求項２３】
前記呼吸用ガスを調整するための調整手段（７）を備えることを特徴とする、請求項１７から２２のいずれかに記載の二次ユニット。
【請求項２４】
前記第二の調整手段（７）が減圧手段（１５）を備えることを特徴とする、請求項２３記載の二次ユニット。
【請求項２５】
前記第二の調整手段（７）が比例手段（１６）を備えることを特徴とする、請求項２３または２４記載の二次ユニット。
【請求項２６】
前記第二の調整手段（７）を制御するための制御用電子カード（１７）を備えることを特徴とする、請求項２３から２５のいずれかに記載の二次ユニット。
【請求項２７】
前記データおよび電源リンク（１２；１３）が制御用電子カード（１７）に接続されることを特徴とする、請求項２６記載の二次ユニット。
【請求項２８】
前記接続用ダクト（９）を格納するための中央溝（２０）を備えることを特徴とする、請求項１９から２７のいずれかに記載の二次ユニット。
【請求項２９】
空中ゴマ形状を有することを特徴とする、請求項２８記載の二次ユニット。
【請求項３０】
一次呼吸用ガスと二次呼吸用ガスとからなるガス混合体を患者に供給することが可能な呼吸補助装置（１）のための中央ユニットであって、
前記二次呼吸用ガスの調整された流れを受け入れる吸気口（１１）と、
所望のガス混合体を得るために、前記二次呼吸用ガスの調整された流れを前記一次呼吸用ガスと選択的に混合する混合手段と
を備えることを特徴とする、中央ユニット。
【請求項３１】
前記混合手段が三方弁であることを特徴とする、請求項３０記載の中央ユニット。
【請求項３２】
前記中央ユニット外に設置され調整手段を制御するための制御手段を備え、
当該調整手段（７）は該中央ユニットの吸気口（１１）に到達する前記二次呼吸用ガスの流れを調整するものであること
を特徴とする、請求項３０または３１記載の中央ユニット。
【請求項３３】
前記吸気口（１１）が直径４〜８ｍｍのダクトを受け入れるように構成されていることを特徴とする、請求項３０から３２のいずれかに記載の中央ユニット。
【発明の詳細な説明】
【技術分野】
【０００１】
本発明は、患者のための呼吸補助装置に関する。
より正確には、本発明は以下を備える呼吸補助装置に関する：
−一次呼吸用ガスを受け入れるための第一の吸気口およびその一次呼吸用ガスを調整するための第一の調整手段、
−二次呼吸用ガスを受け入れるための第二の吸気口およびその二次呼吸用ガスを調整するための第二の調整手段、
−その一次および二次呼吸用ガスを制御されたそれぞれの比率で混合して、制御されたガス混合体にするためのその第一および第二の調整手段を制御するための制御手段、
−その患者にその制御されたガス混合体を供給するための供給手段。
【背景技術】
【０００２】
上記のような呼吸補助装置はすでに存在する。
そのような装置は、外気からの空気を圧縮するタービンのような加圧された一次ガス源（したがって空気が一次呼吸用ガスとなる。）を有する中央ユニットを備える。呼吸補助装置の第一の調整手段はタービン自身が自らに関連した制御手段とともに相当しうる（例えば、タービンの回転速度の制御）。
【０００３】
従来技術における他の装置では、第一の調整手段はタービンおよび（比例弁のような）追加の手段を備える。
これらの装置は、加圧ガスを患者に供給するための呼吸用ダクト形式の供給手段も備える。
【０００４】
さらに、中央ユニットと患者との間に二次呼吸用ダクトを装置が追加的に備えることも可能である。その二次ダクトは二酸化炭素のような患者から吐き出されるガスを取り除くために設けられている。
【０００５】
そのような装置において、タービンの吸気口は、患者に供給される一次呼吸用ガスの第一の吸気口に相当する。あるいは、第一の吸気口を、（例えば病院内の固定された圧縮空気源のような）外部の加圧された一次ガス源に連結することが可能な手段に置き換えることが可能である。
【０００６】
さらに、そのような呼吸補助装置内に、患者に供給される二次呼吸用ガスを受け入れる第二の吸気口を組み込むことも公知である。
二次呼吸用ガスは典型的には酸素である。この二次呼吸用ガスは制御された比率で大気に混合される。したがって、この呼吸補助装置は制御手段により制御される第二の調整手段を備える。こうすることで、制御された方法で酸素富化された空気からなる加圧ガスを患者に供給することが可能となる。
【０００７】
二次呼吸用ガスは通常、圧縮酸素瓶や、例えば病院の、圧縮酸素を供給する壁面の取出し部のような外部の二次ガス源から供給される。公知の装置の第二の吸気口はそれゆえ外部の二次ガス源を呼吸補助装置に接続するための接続手段を有する。この接続手段は中央ユニットの壁面上に固定されている。
【０００８】
実際のところ、外部の二次ガス源を呼吸補助装置に接続するための接続手段はそれ自身大きな体積を有する。
実際、二次呼吸用ガスは典型的には圧縮酸素であって、４〜６気圧で呼吸補助装置に供給されている。
【０００９】
そして、安全上の理由により、そのような二次ガス源に対する接続手段は、ガス漏れのリスクに対処するのに十分な程度に堅牢でなければならない。そのため、その結果たる接続手段は大きなものとなる。
【００１０】
二次呼吸用ガスとしての酸素にとって、標準化された接続手段があり、それによれば、どこでも見出されるべきものである加圧された二次ガス源に呼吸ユニットを接続することが可能である。それゆえ、既存の装置はそのような標準化された接続手段を採用し、中央ユニットの壁面上に配置している。
【００１１】
最後に、酸素のような二次呼吸用ガスを受け入れるための第二の吸気口を有する装置は、実際のところ、一次および二次呼吸用ガスの混合体または一次呼吸用ガスだけを患者に供給するために使用されていることを明記しておく。換言すれば、多くの場合、一次呼吸用ガスを二次呼吸用ガスで富化することは恒常的に使用されるのではない選択肢の一つである。
【００１２】
その目的を達成するために、必要な場合にだけ一次および二次呼吸用ガスを混合するための（三方弁のような）混合手段が中央ユニット内に通常設けられている。
上記のことに加え、さらに記載されるべきこととして、呼吸補助装置の設計の最近の傾向は装置を可及的に小型化しようとすることである。
【００１３】
実際、装置を可能な限り小型化することは求められており、このことは、特に、呼吸補助装置に接続されている間に患者が自由に移動する可能性を増やす。
しかしながら、二次呼吸用ガスに接続することを望むと、上記の大型の接続手段が呼吸補助装置、より正確には中央ユニットの小型化における制限となる。
【００１４】
第二の調整手段は小型化へのさらなる制限となる。
それゆえ、そのような制限を克服することが本発明の目的である。
【発明の開示】
【００１５】
上記の目的を達成するために、本発明は請求項１に規定される呼吸補助装置を提案する。
具体的には、本発明は次の構成を備える呼吸補助装置に関する：
−一次呼吸用ガスを受け入れるための第一の吸気口およびその一次呼吸用ガスを調整するための第一の調整手段であって、それらの第一の吸気口および第一の調整手段はいずれも呼吸補助装置の中央ユニットに設置される；
−二次呼吸用ガスを受け入れるための第二の吸気口およびその二次呼吸用ガスを調整するための第二の調整手段；
−その一次および二次呼吸用ガスを制御されたそれぞれの比率で混合して、制御されたガス混合体にするための、第一および第二の調整手段を制御する制御手段；
−その患者にその制御されたガス混合体を供給するための供給手段であって、その供給手段は中央ユニットと患者との間に設置される；
そして、その第二の吸気口および第二の調整手段は、いずれも呼吸補助装置の二次ユニット内に設置され、その二次ユニットは中央ユニットに対して取り外し可能に接続されることを特徴とする。
【００１６】
そのような呼吸補助装置の、好ましい、しかし限定されない態様は以下のとおりである：
【００１７】
−雄型および雌型の連結器を介して、または４〜８ｍｍの直径を有する二次呼吸用ガスのための接続ダクトによって、その二次ユニットは中央ユニットに対して取り外し可能に接続される；
【００１８】
−第二の吸気口が、外部の加圧ガス源に接続されるように構成された接続手段を備える；
【００１９】
−第二の調整手段が、減圧手段および／または電気的に作動されてもよい比例手段を備える；
【００２０】
−制御手段が中央ユニット内に設置される；
【００２１】
−第二の調整手段が制御手段によって制御される；
【００２２】
−二次ユニットがデータリンクを備え、それによって第二の調整手段と中央ユニットの制御手段との間でデータが伝送可能とされる；
【００２３】
−二次ユニットが、中央ユニットから第二の調整手段に電力を伝送するための電源リンクを備える；
【００２４】
−二次ユニットが、調整手段とデータおよび電源リンクとの間に置かれ、第二の調整手段を制御するためのデータを処理するように構成された制御用電子基板を備える；
【００２５】
−二次ユニットが、いずれも制御用の電子基板に接続された、少なくともガス流センサおよび圧力センサを備える；
【００２６】
−二次ユニットが、空中ゴマ形状を有しうるように、接続ダクトを格納する中央溝を備える。
【００２７】
本発明のさらなる態様によれば、少なくとも二つの呼吸用ガスの混合体を患者に供給することができるとともに中央ユニットを備える呼吸補助装置のための二次ユニットが提案される。その二次ユニットは、中央ユニットに対して取り外し可能に接続され、外部加圧ガス供給源から来る呼吸用ガスの調整された流れを中央ユニットに供給するように構成されたことを特徴とする。
【００２８】
そのような二次ユニットの好ましい、しかし限定されない態様は以下のとおりである：
【００２９】
−雄型および雌型の連結器を介して、または４〜８ｍｍの直径を有する二次呼吸用ガスのための接続ダクトによって、二次ユニットは中央ユニットに対して取り外し可能に接続される；
【００３０】
−二次ユニットが、外部加圧ガス源と接続されるように構成された接続手段を有する単独の吸気口を備える；
【００３１】
−二次ユニットが、中央ユニットから二次ユニットに電力を伝送するための電源リンクを備える；
【００３２】
−二次ユニットが、外部加圧ガス源と接続されるように構成された接続手段を有する単独の吸気口を備える；
【００３３】
−二次ユニットが、呼吸用ガスを調整するための調整手段を備え、その調整手段は減圧手段および／または比例手段を備える；
【００３４】
−二次ユニットが調整手段を制御するための制御用電子カードを備え、データおよび電源リンクはその制御用電子カードに接続される；
【００３５】
−二次ユニットが、空中ゴマ形状を有しうるように、接続ダクトを格納する中央溝を備える。
【００３６】
本発明のもう一つの態様によれば、少なくとも二つの一次呼吸用ガスおよび二次呼吸用ガスからなるガス混合体を患者に供給することができる呼吸補助装置のための中央ユニットが提供される。その中央ユニットは、二次呼吸用ガスの調整された流れを受け入れる気体吸気口、および所望のガス混合体を得るように二次呼吸用ガスの調整された流れを一次ガスと選択的に混合する混合手段を備えることを特徴とする。
【００３７】
そのような中央ユニットの好ましい、しかし限定されない態様は以下のとおりである：
【００３８】
−混合手段が三方弁である；
【００３９】
−中央ユニットが、その外部に設置された調整手段を制御するための制御手段を備え、その調整手段は、中央ユニットの吸気口に到達した二次呼吸用ガス流を調整する；
【００４０】
−その吸気口は４〜８ｍｍの直径を有するダクトを受け入れるように構成されている。
【００４１】
本発明の他の特徴および利点は、以下の記載により明確になるであろう。ただし、この記載は説明の目的のみで示されるのであって、限定の目的で示されるのではない。そして、添付された図面を参照として読まれるべきものである。
【発明を実施するための最良の形態】
【００４２】
まず、本発明の呼吸補助装置を、図１を参照しつつ説明する。
本発明の呼吸補助装置１は、呼吸用ガスを患者に供給しうる中央ユニット２を備える。
中央ユニット２は排気口３を備え、そこから呼吸用ガスが中央ユニット２から患者へと供給手段４を介して運ばれる。そのような排気口３は例えばテーパー形状を有するゴム要素であってもよい。
【００４３】
供給手段４は、中央ユニット２の排気口３に接続され、呼吸補助装置１の中央ユニット２から来る呼吸用ガスが患者に供給されることを可能としている。
供給手段４が、患者と中央ユニット２との間の単独の呼吸用ダクトを構成していてもよい。
【００４４】
このダクトの近位端は、気管切開に適した装置またはマスクによって通常患者に接続される。
あるいは、供給手段４は、患者が呼気ガスを吐き出す第二のダクトに関連していてもよい。
【００４５】
本発明の呼吸補助装置１は、いずれも制御された比率で供給される一次呼吸用ガスおよび二次呼吸用ガスの混合体から構成される呼吸用ガスを患者に供給するために予測されている（foreseen）。
【００４６】
したがって、本発明の呼吸補助装置１の中央ユニット２は、一次呼吸用ガスを受け入れるための第一の吸気口５および一次呼吸用ガスを調整するための（図示されない）第一の調整手段を備える。
【００４７】
第一の吸気口５は、一次呼吸用ガスとなって患者に供給される外気を集めるように配置される。
あるいは、第一の吸気口は、（例えば病院内の固定された圧縮空気源のような）外部の加圧一次ガス源への接続を可能とする手段により置換されることができる。
【００４８】
第一の調整手段は、通常タービンであり、それは小型であることが好ましく、一次呼吸用ガスの制御された流れを供給する。一次呼吸ガス流の制御を向上させるために、このタービンは随意的に、比例弁のようなもう一つの調整装置と関連していてもよい。
【００４９】
本発明の呼吸補助装置１はまた、二次呼吸用ガスを患者に供給することができる。
この目的のために、本発明の呼吸補助装置１は、それぞれ二次呼吸用ガスを受け入れ、制御するための、第二の吸気口６および第二の調整手段７を備える。
【００５０】
上記のように、第二の吸気口６は、（特に安全基準のために、）大きな形状を有する。
しかしながら、本発明によれば、第二の吸気口６および第二の調整手段７は中央ユニット２内には設けられていない。すなわちこれらは、中央ユニット２とは独立の二次ユニット８に設けられている。
【００５１】
三方弁のような混合手段は一次および二次呼吸用ガスとを混合するために中央ユニット２内に設けられていてもよい。
そのような二次ユニット８を用いることは、呼吸補助装置をモジュール型の呼吸補助装置に変換する。
【００５２】
すなわち、二次ユニット８は中央ユニット２に対して取り外し可能に接続される。このため、二次呼吸ガスを含む呼吸用ガスの混合体を患者に供給したくなったときに、（外部呼吸用ガス源に接続された）二次ユニット８は中央ユニット２に連結される。
【００５３】
患者が一次呼吸用ガスのみを供給される必要があるときには二次ユニット８は使用されない。この場合には、呼吸補助装置１は中央ユニット２のみからなる。
それゆえ、二次ユニット８および中央ユニット２が連結されるとき、接続ダクト９が二次ユニット８と中央ユニット２との間に設けられてもよい。
【００５４】
そのような接続ダクト９は二次呼吸用ガスを二次ユニット８から中央ユニット２に伝送することを可能とする。すなわち、接続ダクト９は、二次ユニット８の（テーパー形状を有するゴム要素のような）排気口１０が一方の端部に、中央ユニット２の吸気口１１が他方の端部に接続される。
【００５５】
二次呼吸用ガスは次ユニット８内の第二の調整手段７によって例えば圧力について二調整されるため、接続ダクト９が満たす必要がある安全基準が不要となる。したがって、接続ダクト９の形状は、（通常外部呼吸用ガス源を呼吸補助装置に接続する）標準ダクトの形状よりもかなり重要性が低くてもよい。実際、接続ダクト９は、４〜８ｍｍの直径（１２〜１６ｍｍからなる標準ダクトの直径よりも相対的に小さい。）を有していてもよく、比較的柔軟であり、薄く、かつ軽い。
【００５６】
さらに、中央ユニット２の吸気口１１は、接続ダクト９に接続されるように構成されており、したがって形状的に小さい。すなわち、中央ユニット２の吸気口１１は二次ユニット８の二次ガスの吸気口６と比べて著しく小さい。
【００５７】
呼吸補助装置１が一次呼吸用ガスのためだけに使用されるべきときには特に、中央ユニット２がそのように小さい吸気口１１を有していることは大変有利である。実際そのような場合には、上記のように、呼吸補助装置１は中央ユニット２のみからなり、結果的に小さく、軽い。
【００５８】
図２に示されるような本発明の他の実施形態によれば、二次ユニット８は、直接、すなわち接続ダクトなしに中央ユニット２に連結されてもよいように作られている。
例えば、二次ユニット８は中央ユニット２の一つの側部に直接連結される形状を有していてもよい。この例において、中央ユニット２および二次ユニット８は雄型および雌型の連結器を介して連結されていてもよい。
【００５９】
この場合には、二次ユニット８の排気口１０は中央ユニット２の吸気口１１に直接接続されるように構成されている。繰り返しになるが、排気口１０および吸気口１１はいずれも形状が小さくてもよい。実際、二次呼吸用ガスは例えば圧力について二次ユニット８内で調整されてしまっているため、排気口１０、およびその結果として吸気口１１、が満たす必要がある安全基準が不要となる。
【００６０】
本発明の呼吸補助装置１はさらに二次ユニット８と中央ユニット２との間に設けられたデータリンク１２を備える。
実際、中央ユニット２は、特に二次ユニット８の第二の調整手段７を制御するための（図示されない）制御手段を備える。
【００６１】
中央ユニット２の制御手段および第二の調整手段７に接続するデータリンク１２のおかげで、この制御は可能とされている。
本発明の好ましい形態において、電源リンク１３が二次ユニット８と中央ユニット２との間に設けられてもよい。
【００６２】
実際、調整手段７は電気的に作動されてもよく、この場合には電力供給が必要とされる。中央ユニット２は一般に、内部電池または外部電源のような電源を備えるので、中央ユニット２の電源に接続された電源リンク１３は第二の調整手段７に必要に応じ電力を供給する。
【００６３】
図３は、本発明の呼吸補助装置１の二次ユニット８を概念的に示したものである。
この二次ユニット８は第二の吸気口６に対応する接続手段１４を備える。
接続手段１４は二次呼吸用ガスを供給する外部加圧源に接続されるように構成されている。
【００６４】
上記のように、二次呼吸ガスは典型的には、４〜６気圧で呼吸補助装置１に供給される加圧酸素である。
したがって、接続手段１４は、漏れのリスクに対応た十分な堅牢さを有していなければならず、それゆえ形状的に大きい。
【００６５】
結果的に、本発明の呼吸補助装置１は標準的な接続手段１４を有する二次ユニット８を備えていることが好ましい。ここで、接続手段１４は、どこでも探されうる加圧二次ガス源に呼吸補助装置１を接続することを可能とする。
【００６６】
上記のように、二次ユニット８は第二のガス調整手段７を備える。
第二のガス調整手段７の目的は、接続ダクト９を通じて二次ユニット８から中央ユニット２へと送給されるように、二次呼吸用ガスを制御することである。
【００６７】
実際、外部加圧ガス源は一般的に、二次呼吸用ガスを高圧で供給する。二次呼吸用ガスは患者に供給されるべきものであるから、この圧力は減じられなければならない。したがって、第二の調整手段７は減圧弁のような減圧手段１５を備える。
【００６８】
さらに、第二の調整手段７は比例弁のような比例手段１６を備えていていもよい。この比例手段１６は、患者に供給される二次呼吸用ガスの流れを制御することを可能とする。
減圧手段１５の吸気口は第二の吸気口１６と連結され、減圧手段１５の排気口は比例手段１６の吸気口と連結され、さらに比例手段の排気口は二次ユニット８の排気口と連結されることが好ましい。
【００６９】
本発明の好ましい形態において、比例手段１６は電気的に作動される。それゆえ、比例手段は電動比例弁であってもよい。そのような場合には、比例手段１６は、電源リンク１３を介して電力を得る。
【００７０】
データリンク１２を通じて中央ユニット２の制御手段から伝送されるデータのおかげで、第二の調整手段７、特に比例弁１６の作動は可能とされる。
したがって、例えば酸素の圧力のような二次呼吸用ガス流が満たさなければならない特性を直接中央ユニット２において設定することが可能である。すなわち、制御手段に指令を出し、そして制御手段が二次ユニット８の第二の調整手段７を制御するように、データ処理手段が中央ユニット２内に設けられている。
【００７１】
そのような制御手段からのデータは、第二の制御手段７を直接制御し、それゆえ、例えば比例手段１６に直接接続されている。
あるいは、中央ユニット２の制御手段から来るデータを処理し結果的に第2の調整手段７を制御するための制御用電子基板１７が二次ユニット８内に設けられていてもよい。
【００７２】
電源リンク１３が電力を必要に応じて第二の調整手段７に伝送する制御用電子基板１７に接続されていることが好ましい。
第二の調整手段７の制御性を高めるために二次ユニット８内に計測手段がさらに設けられていてもよい。
【００７３】
それゆえ、熱線センサ(hot wire sensor)のようなガス流センサ１８および圧力センサ１９が設けられていることが好ましい。
第二の調整手段７が減圧手段１５および比例手段１６の双方を備える場合には、圧力センサ１９は減圧手段１５と比例手段１６と間で二次呼吸用ガスの圧力を測定するために配置される。この場合には、ガス流センサ１８は比例手段１６から来る二次呼吸用ガスの流れを測定するために配置される。
【００７４】
二次ユニット８の計測手段は中央ユニット２の制御手段に直接接続されたり、または二次ユニット８の制御用電子基板１７を介してこの制御手段に接続されたりする。
したがって、制御用電子基板１７を使用することは装置の小型化のためにとても有利である。実際、データは制御用電子基板１７内で直接処理されるため、二次ユニット８と中央ユニット２との間のデータワイヤーの本数を減らすことが可能となり、単独のデータワイヤーが必要とされるのみとなる。
【００７５】
それゆえ、３本のリンクだけが必要とされるため、中央ユニット２と二次ユニット８との連結は簡単になる。すなわち、二次呼吸用ガスのためのリンク（吸気口１０および排気口１１を直接に一体に接続していてもよく、接続用ダクト９を介していてもよい。）、一本のデータワイヤー１２、および一本の電源ワイヤー１３である。
【００７６】
さらに、データおよび電源ワイヤーのいずれもが一体化され、単独の比較的小さな伝送ケーブルとなっていてもよい。
最後に、図４は、本発明に係る呼吸補助装置の二次ユニット８の一実施形態の概要を示す断面図である。そのような二次ユニット８は接続ダクト９を介して中央ユニット２に連結されるべきものである。
【００７７】
本実施形態において、二次ユニット８の全周にわたるように中央溝２０が設けられている。そのような中央溝２０は、接続ダクト９がその中に格納されうるような形状を有する。さらに正確には、二次ユニット８の周囲に包み込まれるように、接続ダクト９は溝部２０内に配置される。
【００７８】
同様に、データおよび電源ワイヤーも中央溝２０内に格納されてもよい。
したがって、二次呼吸用ガスが患者に送給されなくともよいときには、二次ユニット８は中央ユニット２から取り外されてもよい。この目的で、接続ダクト９ならびにデータおよび電源ワイヤー（１２；１３）は中央ユニット２から接続を絶たれる。
【００７９】
そのような接続が絶たれた二次ユニット８は格納されるため、接続ダクト９を、そして結果的にデータおよび電源ワイヤー（１２；１３）を二次ユニット８の周囲の中央溝２０内に配置することが簡単になる。
【００８０】
図４に示されるように、二次ユニット８は例えば空中ゴマ形状の中央溝２０を備える。
【図面の簡単な説明】
【００８１】
【図１】本発明に係る呼吸補助装置の概要図である。
【図２】本発明の他の実施形態に係る呼吸補助装置の概要図である。
【図３】本発明に係る呼吸補助装置の二次ユニットの概要図である。
【図４】本発明に係る呼吸補助装置の二次ユニットの一形態の概要を示す断面図である。
【図１】
2008543473.tif 000003
【図２】
2008543473.tif 000004
【図３】
2008543473.tif 000005
【図４】
2008543473.tif 000006
【国際調査報告】
2008543473.tif 000007
2008543473.tif 000008
2008543473.tif 000009